(57)【特許請求の範囲】
【請求項１】
屋根の棟と直交する方向に並べられて横葺き屋根を構成する横葺き屋根材と、該横葺き屋根材を接合し、かつ、該横葺き屋根材を屋根下地に固定する吊子とからなる横葺き屋根構造物において、
上記横葺き屋根材は、
屋根面となる主板の軒側の端部に形成され、屋根の棟方向と平行な軸に対して直交する断面形状が略コの字形状をしており、主板の一部として形成されている第１の板部と、第１の板部の軒側端部において下方に折り曲げられて形成されている第２の板部と、第２の板部の下端において棟側に折り曲げられて形成されている第３の板部とを有している第１の係合部と、
上記主板の棟側の端部に形成され、主板の一部として形成されている第４の板部と、第４の板部の棟側端部において上記第４の板部とのなす角が鋭角となるように上方に折り曲げられて形成されている第５の板部とを有する第２の係合部とを備えていると共に、
上記第２の係合部における第５の板部は、屈曲または湾曲した形状となっており、板ばねの作用を有しており、
上記吊子は、
該吊子を屋根下地に固定するための平板状の固定部と、
吊子の軒側に形成され、固定部の軒側端部から上方に折り曲げられて形成されている第６の板部と、第６の板部の上端から軒側に折り曲げられて形成されている第７の板部と、第７の板部の軒側端部から下方に折り曲げられて形成されている第８の板部と、第８の板部の下端から棟がわに折り曲げられて形成されている第９の板部とを有する第３の係合部とを備えており、
上記横葺き屋根材と吊子との接合部では、
吊子の第３の係合部における第６ないし第９の板部にて形成される空間内に、軒側の横葺き屋根材の第２の係合部における第５の板部が嵌入され、該第２の係合部における第５の板部の両端部が該第５の板部の板ばねの作用によって第３の係合部の内部に付勢された状態で固定され、
第２の係合部における第４の板部と第３の係合部における第９の板部との間に、棟側の横葺き屋根の第１の係合部における第３の板部が挿入されて固定されており、
上記第１の係合部と第３の係合部との間に、該第３の係合部における第６および第７の板部と吊子の固定部との外面に沿った形状の補強板を挿入することを特徴とする横葺き屋根構造物。
【発明の詳細な説明】
【０００１】
【発明の属する技術分野】
本発明は、複数の屋根材を棟方向と直交する方向に接合させることによって屋根を構成する横葺き屋根構造物に関するものである。
【０００２】
【従来の技術】
従来、屋根構造として、鋼板や銅板等によって形成された屋根材を屋根の棟方向と直交する方向に接合させて構成される横葺き屋根がある。このような横葺き屋根の構成を図６ないし図８を参照して説明する。
【０００３】
上記横葺き屋根を形成する横葺き屋根材（以下、単に屋根材と称する）１０１は、図６（ａ）に示すように、屋根の棟方向と平行な軸に対して直交する全ての断面形状が同一形状となっている。また、上記屋根材１０１は、主板１０２に対して、構成される屋根の傾斜方向の両端において第１の係合部１０３および第２の係合部１０４が形成されている構造である。
【０００４】
第１の係合部１０３は、屋根材１０１の軒側となる端部において形成される係合部であり、図６（ｂ）に示すように、板部１０５ないし１０７からなる略コの字形状の断面を有している。板部１０５は、主板１０２の一部として形成されている。板部１０６は、上記板部１０５の軒側端部において下方に折り曲げられて形成されている。そして、板部１０７は、板部１０６の下端において内側に折り曲げられて形成されている。また、板部１０７の先端（棟側）には板金を外側に折り返して形成された折返し部１０８が設けられており、板部１０７の後端（軒側）には突条部１０９が設けられている。
【０００５】
一方、第２の係合部１０４は、屋根材１０１の棟側となる端部において形成される係合部であり、図６（ｃ）に示すように、板部１１０ないし１１２から構成されている。板部１１０は、主板１０２の一部として形成されている。板部１１１は、上記板部１１０の棟側端部において上方に折り曲げられて形成されている。ここで、上記板部１１０と板部１１１とのなす角αは鋭角となっている。また、板部１１２は、上記板部１１１の先端において下方に折り曲げられて（下垂して）形成されている。
【０００６】
上記屋根材１０１を用いて屋根葺きを行う場合、構成される屋根は該屋根材１０１のみによって構成されるのではなく、該屋根材１０１を屋根下地に固定するための、いわゆる吊子といった部材が使用される。上記吊り子の形状を図７に示す。
【０００７】
上記吊子１２１は、図７に示すように、屋根の棟方向と平行な軸に対して直交する全ての断面形状が同一形状となっており、ビス止めなどにより該吊子１２１を屋根下地に固定するための固定部１２２、屋根材１０１における第１および第２の係合部１０３・１０４と共に接合部を形成する第３の係合部１２３、該吊子１２１の上部に載置される屋根材１０１を支えるための支持部１２４を備えている。
【０００８】
上記第３の係合部１２３は、該吊子１２１の軒側に形成されるものであり、板部１２５ないし１２８から構成されて、断面が略口の字形状となるように形成されている。すなわち、板部１２５は固定部１２２の軒側端部から上方に折り曲げられて形成されており、板部１２６は板部１２５の上端から軒側に折り曲げられて形成されており、板部１２７は板部１２６の軒側端部から下方に折り曲げられて形成されており、板部１２８は板部１２７の下端から棟がわに折り曲げられて形成されている。また、板部１２８は屋根面と平行となるように形成されているが、吊子１２１を屋根に固定した際、該板部１２８と屋根面との間には隙間が生じるように形成されている。
【０００９】
２枚の屋根材１０１・１０１と吊子１２１とにおける接合部の構成を図８に示す。上記接合部は、軒側に配置される屋根材１０１における第２の係合部１０４と、吊子１２１における第３の係合部１２３と、棟側に配置される屋根材１０１における第１の係合部１０３とによって構成される。
【００１０】
先ず、第２の係合部１０４における板部１１１および１１２が、第３の係合部１２３における板部１２５ないし１２８によって形成される空間に収まるように、第２の係合部１０４と第３の係合部１２３とが接合される。この時、第２の係合部１０４における板部１１０は屋根下地１３１に接触している。
【００１１】
また、第２の係合部１０３における板部１１１と板部１１２との折曲げ部が第３の係合部１２３における板部１２６と板部１２７との折曲げ部に当接（当接箇所Ａ１）し、かつ、第２の係合部１０３における板部１１０と板部１１１との折曲げ部が第３の係合部１２３における板部１２５に当接（当接箇所Ａ２）することによって、第２の係合部１０３と第３の係合部１２３との位置関係が固定される。
【００１２】
また、上記第２の係合部１０３と第３の係合部１２３とが組み合わされた状態では、第２の係合部１０３における板部１１０と第３の係合部１２３における板部１２８との間には隙間がある。そして、棟側に接合される屋根材１０１の第１の係合部１０３における板部１０７をこの隙間に挿入することで、接合部が形成される。
【００１３】
この時、上記板部１０８の先端が第２の係合部１０４における板部１１１の内面側に当接（当接箇所Ｂ１）することで、上記第１の係合部１０３の位置が固定される。また、上記板部１０７は、第３の係合部１２３における板部１２８に対してはその上面が当接（当接箇所Ｃ１）しているが、第２の係合部１０４における板部１１０に対しては、折返し部１０８および突条部１０９が当接（当接箇所Ｂ２・Ｂ３）している。
【００１４】
【発明が解決しようとする課題】
ところが、上記従来の構成では、特に、上記接合部における強度の観点より、以下のような問題が生じる。
【００１５】
すなわち、第２の係合部１０４と第３の係合部１２３との係合において、その固定は、図８に示す当接箇所Ａ１およびＡ２によって得られるが、その力は小さく、特に、第３の係合部１２３を屋根面の法線方向において固定する力はほとんど得られない。もちろん、上記第３の係合部１２３は、固定部１２２におけるビス止めによって屋根面の法線方向における固定力が与えられるものではあるが、該第３の係合部１２３は固定部１２２から離れているため、板金において発生する曲がりを考慮すると屋根面の法線方向における固定力が該第３の係合部１２３において十分に生じるものとはいえない。
【００１６】
また、第１の係合部１０３の係合については、屋根面の法線方向における固定力は、当接箇所Ｂ２、Ｂ３、Ｃ１によって得られる。言い換えれば、上記当接箇所Ｃ１において、第３の係合部１２３の板部１２８が第１の係合部１０３における板部１０７を第２の係合部１０４における板部１１０側に押し付けている。
【００１７】
しかしながら、上述したように第３の係合部１２３を屋根面の法線方向において固定する力が弱ければ、当然ながら、第３の係合部１２３の板部１２８が第１の係合部１０３における板部１０７を押す力も弱くなる。したがって、第１の係合部１０３についても、屋根面の法線方向における固定力は十分とはいえない。
【００１８】
さらに、第１の係合部１０３を屋根の傾斜方向に対して固定する力は、当接箇所Ｂ２、Ｂ３、Ｃ１における摩擦力によって得られるが、これも、第３の係合部１２３の板部１２８が第１の係合部１０３における板部１０７を押す力が弱ければ十分な摩擦力がえられないことは容易に理解できる。
【００１９】
したがって、上記従来の構成では、屋根材１０１．１０１および吊子１２１の接合部において、第１ないし第３の係合部１０３・１０４・１２３の間に生じる固定力が十分でなく、接合部の強度が十分に得られない。
【００２０】
近年では屋根の上にソーラーシステムのパネル等のモジュールを載置したり、あるいは多雪地方では雪止め金具を設置することが行われている。上述のような横葺き屋根では、これらのモジュールを屋根上に取り付けるための取付け部材は上記接合部に配置されるため、接合部の強度が小さいとモジュールの設置に係る安全性が確保されないといった問題がある。
【００２１】
本発明は、上記の問題点を解決するためになされたもので、その目的は、横葺き屋根における屋根材の接合部の強度を向上させることができる横葺き屋根材を用いた屋根構造物を提供することにある。
【００２２】
【課題を解決するための手段】
本発明に係る横葺き屋根構造物は、上記の課題を解決するために、屋根の棟と直交する方向に並べられて横葺き屋根を構成する横葺き屋根材と、該横葺き屋根材を接合し、かつ、該横葺き屋根材を屋根下地に固定する吊子とからなる横葺き屋根構造物において、上記横葺き屋根材は、屋根面となる主板の軒側の端部に形成され、屋根の棟方向と平行な軸に対して直交する断面形状が略コの字形状をしており、主板の一部として形成されている第１の板部と、第１の板部の軒側端部において下方に折り曲げられて形成されている第２の板部と、第２の板部の下端において棟側に折り曲げられて形成されている第３の板部とを有している第１の係合部と、上記主板の棟側の端部に形成され、主板の一部として形成されている第４の板部と、第４の板部の棟側端部において上記第４の板部とのなす角が鋭角となるように上方に折り曲げられて形成されている第５の板部とを有する第２の係合部とを備えていると共に、上記第２の係合部における第５の板部は、屈曲または湾曲した形状となっており、板ばねの作用を有しており、上記吊子は、該吊子を屋根下地に固定するための平板状の固定部と、吊子の軒側に形成され、固定部の軒側端部から上方に折り曲げられて形成されている第６の板部と、第６の板部の上端から軒側に折り曲げられて形成されている第７の板部と、第７の板部の軒側端部から下方に折り曲げられて形成されている第８の板部と、第８の板部の下端から棟がわに折り曲げられて形成されている第９の板部とを有する第３の係合部とを備えており、上記横葺き屋根材と吊子との接合部では、吊子の第３の係合部における第６ないし第９の板部にて形成される空間内に、軒側の横葺き屋根材の第２の係合部における第５の板部が嵌入され、該第２の係合部における第５の板部の両端部が該第５の板部の板ばねの作用によって第３の係合部の内部に付勢された状態で固定され、第２の係合部における第４の板部と第３の係合部における第９の板部との間に、棟側の横葺き屋根の第１の係合部における第３の板部が挿入されて固定されていることを特徴としている。
【００２３】
上記の構成によれば、第２の係合部と第３の係合部との接合にあたっては、第２の係合部における第５の板部が第３の係合部における第６ないし第９の板部にて形成される空間内に嵌入され、該第５の板部の両端が上記空間の所定箇所に当接することで位置決めした状態で固定される。このとき、第５の板部が板ばねとして作用することで、該第５の板部の両端を第３の係合部の内部空間壁面に付勢することとなり、当接箇所における摩擦が増大して、第２の係合部と第３の係合部との滑りによるずれを抑制することができる。
【００２４】
また、第１の係合部は、第１および第２の板部を介して軒側から延びる第３の板部を有しており、第２の係合部における第４の板部と第３の係合部における第９の板部との間に、第３の板部を軒側から挿入することで固定される。この時、第１の係合部は第３の板部と第４の板部および第９の板部との間の摩擦によってその位置が維持されるため、第４の板部と第９の板部との隙間が適切な間隔に維持されることでその固定力が維持される。また、第１の係合部における第３の板部と第２の係合部における第４の板部との接触部は、屋根の棟方向に沿って全箇所で得られるので、屋根面の軒側からの浸水が防止でき、好適な止水性が得られる。
【００２５】
そして、上記第２の係合部と第３の係合部との位置関係は、上述した第５の板部の板ばねの作用によって強固に固定されるため、第４の板部と第９の板部との隙間が適切な間隔に維持されることとなり、第１の係合部も第２の係合部および第３の係合部に対して滑りを生じさせることなく固定することができる。
【００２６】
このように、上記第１ないし第３の係合部におけるずれを抑制し、各係合部を固定することにより、接合部における強度を向上させることができる。
【００２７】
また、本発明に係る横葺き屋根構造物は、上記横葺き屋根材と吊子との接合部において、上記第１の係合部と第３の係合部との間に、該第３の係合部における第６および第７の板部と吊子の固定部との外面に沿った形状の補強板を挿入することを特徴としている。
【００２８】
通常、上記横葺き屋根材や吊子は、比較的板厚の小さい板金を折り曲げて形成されるものであり、上記接合部においては外力によってその形状が変化が生じる恐れがある。そして、このような形状変化は上記第１ないし第３の係合部間でのずれを生じさせる要因となる。
【００２９】
これに対し、上記の構成によれば、第１の係合部と第３の係合部との間に、該第３の係合部における第６および第７の板部と吊子の固定部との外面に沿った形状の補強板が挿入されることで接合部の剛性が高められ、該接合部の形状変化が抑制される。したがって接合部の形状変化に伴う第１ないし第３の係合部間でのずれを防止でき、接合部における強度をさらに向上させることができる。特に、この構成はソーラーパネル等のモジュールの取付金具や雪止め金具を上記接合部に取り付ける際の該接合部の形状変化を抑制し、金具の保持力を向上させることができる。
【００３０】
【発明の実施の形態】
本発明の実施の一形態について図１ないし図５に基づいて説明すれば、以下の通りである。
【００３１】
本実施の形態に係る横葺き屋根において使用される横葺き屋根材（以下、単に屋根材と称する）１の構成を、図２（ａ）〜（ｃ）を参照して説明する。上記屋根材（以下、単に屋根材と称する）１は、図２（ａ）に示すように、屋根の棟方向と平行な軸に対して直交する全ての断面形状が同一形状となっている。また、上記屋根材１は、鋼板や銅板等の板金を所望の形状に折り曲げて形成することが好適である。
【００３２】
上記屋根材１は、主板２に対して、構成される屋根の傾斜方向の両端において第１の係合部３および第２の係合部４が形成されている構造である。
【００３３】
第１の係合部３は、屋根材１の軒側となる端部において形成される係合部であり、図２（ｂ）に示すように、板部５ないし７からなる略コの字形状の断面を有している。板部５は、主板２の一部として形成されている。板部６は、上記板部５の軒側端部において下方に折り曲げられて形成されている。そして、板部７は、板部６の下端において内側に折り曲げられて形成されている。また、板部７の先端（棟側）には板金を外側に折り返して形成された折返し部８が設けられており、板部７の後端（軒側）には下方に凸状に形成された突条部９が設けられている。
【００３４】
一方、第２の係合部４は、屋根材１の棟側となる端部において形成される係合部であり、図２（ｃ）に示すように、板部１０および板部１２から構成されている。
【００３５】
板部１０は、主板２の一部として形成されている。板部１１は、上記板部１０の棟側端部において上方に折り曲げられて形成されている。ここで、上記板部１０と板部１１とのなす角αは鋭角となっている。また、板部１１は１枚の平面として形成されておらず、屈曲点１１ａにおいて折り曲げられた断面略くの字形状となっている。上記屈曲点１１ａは、板部１１の両端を結ぶ直線より軒側において存在する。板部１２は、上記板部１１の先端において下方に折り曲げられて（下垂して）形成されている。また、板部１２には、その先端にて板金を外側（軒側）に折り返して形成された折返し部１３が設けられている。
【００３６】
尚、図２（ｃ）に示す構成では、板部１０と板部１１との間の折り曲げ部分、および板部１１と板部１２との間の折り曲げ部分は、アールが設けられて緩やかに折り曲げられているが、より鋭角的に折り曲げられていてもよい。
【００３７】
上記屋根材１を用いて屋根葺きを行う場合、構成される屋根は該屋根材１のみによって構成されるのではなく、該屋根材１を屋根下地に固定するための、いわゆる吊子といった部材が使用される。上記吊り子の形状を図３に示す。
【００３８】
上記吊子２１は、図３に示すように、屋根の棟方向と平行な軸に対して直交する全ての断面形状が同一形状となっており、ビス止めなどにより該吊子２１を屋根下地に固定するための固定部２２、屋根材１における第１および第２の係合部３・４と共に接合部を形成する第３の係合部２３、該吊子２１の上部に載置される屋根材１を支えるための支持部２４を備えている。
【００３９】
上記固定部２２は、１枚の平板状に形成されており、組み付け時には屋根下地面に接触する。
【００４０】
上記第３の係合部２３は、該吊子２１の軒側に形成されるものであり、板部２５ないし２８から構成されて、断面が略口の字形状となるように形成されている。すなわち、板部２５は固定部２２の軒側端部から上方に折り曲げられて形成されており、板部２６は板部２５の上端から軒側に折り曲げられて形成されており、板部２７は板部２６の軒側端部から下方に折り曲げられて形成されており、板部２８は板部２７の下端から棟がわに折り曲げられて形成されている。
【００４１】
上記板部２８の屋根の傾斜方向に沿った長さは、板部２５の下端から板部２７の下端までの距離よりも短い。また、板部２８は屋根面と平行となるように形成されているが、吊子２１を屋根に固定した際、該板部２８と屋根面との間には隙間が生じるように形成されている。
【００４２】
ここで、屋根材１…と吊子２１…とによって構成される横葺き屋根の構造について、図１および図４を参照して説明する。
【００４３】
接合される２枚の屋根材１…は、軒側に配置される屋根材１が取り付けられている状態で、さらに吊子２１、棟側の屋根材１の順序で取り付けが行われる。具体的には、軒側の屋根材１における第２の係合部４に対して、吊子２１における第３の係合部２３を係合させる。この時、第２の係合部４における板部１１および１２が、第３の係合部２３における板部２５ないし２８によって形成される空間に収まるように、第２の係合部４と第３の係合部２３とが接合される。この時、第２の係合部４における板部１０は屋根下地３１に接触している。
【００４４】
また、吊子２１における固定部２２も屋根下地３１に接触しており、該固定部２２を屋根下地３１に対してビス止めすることによって吊子２１が固定される。
【００４５】
上記第２の係合部４と第３の係合部２３との接合においては、図１に示すように、第２の係合部３における板部１１と板部１２との折曲げ部が第３の係合部２３における板部２６および２７に当接（当接箇所Ａ１）し、かつ、第２の係合部３における板部１０と板部１２との折曲げ部が第３の係合部２３における板部２５に当接（当接箇所Ａ２）することによって、第２の係合部３と第３の係合部２３との位置関係が固定される。また、板部１２において形成されている折返し部１３が板部２７の内面側に当接（当接箇所Ａ３）している。
【００４６】
また、上記当接箇所Ａ１およびＡ２の間にある板部１１は、屈曲点１１ａにおいて折り曲げられた形状となっている。このため、上記板部１１は板ばねとして作用する。上記板部１１を板ばねとして作用させることにより、板部１１の弾性力を用いて、第２の係合部４および第３の係合部２３の当接箇所Ａ１ないしＡ３において付勢力を与えることができる。
【００４７】
すなわち、第３の係合部２３が当接箇所Ａ１ないしＡ３において（特に、当接箇所Ａ１およびＡ３において）、板部１１の弾性力によって第２の係合部４に付勢され、第３の係合部２３と第２の係合部４との間に作用する摩擦が大となる。この摩擦が大となることで第３の係合部２３と第２の係合部４との間でのすべりが抑制され、第３の係合部２３と第２の係合部４とが互いに強固に固定される。
【００４８】
尚、屋根材１における主板２は、屋根下地面に対して傾斜しており、図４に示すように、屋根下地３１には接触していない。このため、上記主板２は、吊子２１における支持部２４の上面に載置された状態となることで支持される。
【００４９】
また、上記第２の係合部３と第３の係合部２３とが組み合わされた状態では、図１に示すように、第２の係合部３における板部１０と第３の係合部２３における板部２８との間に隙間が生じる。そして、棟側に接合される屋根材１の第１の係合部３における板部８をこの隙間に挿入することで、接合部が形成される。
【００５０】
この時、上記板部７の先端が第２の係合部４における板部１１の内面側に当接（当接箇所Ｂ１）することで、上記第１の係合部３の位置が固定される。また、上記板部７は、第３の係合部２３における板部２８に対してはその上面が当接（当接箇所Ｃ１）しているが、第２の係合部４における板部１０に対しては折返し部８および突条部９が当接（当接箇所Ｂ２・Ｂ３）している。
【００５１】
上記板部７は、上記折返し８および突条部９によって持ち上げられているため板部１０との間に空隙が生じている。このため、板部７の曲げ弾性によって、当接箇所Ｂ２・Ｂ３・Ｃ１において付勢力が得られ、この付勢力によって摩擦力が大となる。この当接箇所Ｂ２・Ｂ３・Ｃ１において生じる摩擦力によって、第１の係合部３のずれが抑制される。
【００５２】
尚、上述のように第１の係合部３のずれを抑制するには、板部７の曲げ弾性による当接箇所Ｂ２・Ｂ３・Ｃ１における適切な付勢力を得ることが必要である。そして、この付勢力を得るためには、板部２８と板部１０との間の隙間が適切に保持されなければならない。
【００５３】
上記構成では、板部２８と板部１０との間の隙間は、第３の係合部２３と第２の係合部４とが互いに強固に固定されることによって、ずれが生じることなく（該隙間が広がることなく）保持されるため、上記十分な付勢力、およびこの付勢力によって発生する摩擦力が得られ、第１の係合部３がずれが生じることなく保持される。
【００５４】
また、屋根材の接合部の変形例として、図５に示すような構成とすることも可能である。尚、図５は、上記接合部においてモジュール（ソーラーパネル等）用の取付金具や雪止め金具を取り付ける際の一例を示すものである。
【００５５】
図５に示す例では、第３の係合部２３と第１の係合部３との間に補強板４１が挿入される。上記補強板４１は、板部４２、板部４３、板部４４とによって構成されている。
【００５６】
補強板４１における板部４２は、第３の係合部２３における板部２６と第１の係合部３における板部５との間にて挟持されている。板部４３は、第３の係合部２３における板部２５の外面（棟側の面）に接している。そして、板部４４は、吊子２１における固定部２２の上面に接している。上記補強板４１は、例えばビス止めにより屋根下地に固定される。
【００５７】
上記屋根材１および吊子２１は、そのサイズに対して比較的薄い板金で形成されているため、剛性があまり高くなく、各板部の傾きが変化するような形状変化が生じやすい。そして、上記第１ないし第３の係合部３・４・２３における形状変化は、第１ないし第３の係合部３・４・２３の間でのずれを生じさせるため、接合部の強度を低下させる。また、屋根材１および吊子２１の剛性を高めるためにその板厚を増やすことは、屋根の組み立てにおける作業性を低下させたり、屋根の重量増加を招来するため好ましくない。
【００５８】
特に、本発明のような横葺き屋根にソーラーパネル等のモジュールや雪止め金具を設置する際には、モジュール用の取付金具や雪止め金具は上記接合部において取り付けられる。そして、従来では、これらの金具を上記接合部に取り付ける際の締め付け力によって上記接合部の変形が生じやすいという問題があった。
【００５９】
これに対し、図５の構成においては、上記補強板４１を配置することで接合部の剛性を向上させ、該接合部の形状変化を防止するため、接合部の強度を安定して得ることができる。これにより、特に、モジュール用の取付金具や雪止め金具を上記接合部において取り付ける際に、その保持力を向上させることが可能となる。
【００６０】
より具体的には、図５に示す取付金具５０は、略コの字形の断面形状を有しており、屋根面に接する底板部５１の先端が、第１の係合部３における板部７と第２の係合部４における板部１０との間に挿入されている。また、上記取付金具５０の天板部５２は、その先端で第１の係合部３における板部５を上面から押さえつけるようになっている。
【００６１】
図５の例では、天板部５２の先端を下方に折り曲げた下垂部５２ａが設けられており、該下垂部５２ａの先端が第１の係合部３の板部５において設けられている突条部５ａに当接している。これにより、取付金具５０の位置決めができると共に、下垂部５２ａが突条部５ａの凹部にはまり込むことによって取付金具５０の保持力を向上させることができる。
【００６２】
上記取付金具５０の底板部５１と天板部５２との間には、その底部が底板部５１に固定されたネジ部５３が設けられており、該ネジ部５３は天板部５２を貫通して設けられている。そして、ネジ部５３には、天板部５２上面側において押え板５４とボルト５５とが取り付けられており、該ボルト５５を締めることによって天板部５２の下垂部５２ａを突条部５ａに押し付ける力（図中矢印Ｚ方向）が作用する。
【００６３】
すなわち、上記ボルト５５を締めることによって上記取付金具５０では、底板部５１と天板部５２との間で上記接合部を締め付ける力が作用し、この締め付け力によって取付金具５０が固定される。このとき、上記接合部において補強板４１が存在しなければ、この締め付け力によって接合部に変形が生じ、接合部のズレが生じたり、取付金具５０の保持力低下に繋がるが、図５の構成では補強板４１によって接合部の変形が防止されるので取付金具５０における良好な保持力が得られる。
【００６４】
尚、図５における取付金具５０では、該取付金具５０を接合部に取り付けるための機構のみを記載しており、例えば、モジュール等の支持機構については、種々の構成が考えられるため図示を省略している。
【００６５】
【発明の効果】
本発明に係る横葺き屋根構造物は、以上のように、屋根の棟と直交する方向に並べられて横葺き屋根を構成する横葺き屋根材と、該横葺き屋根材を接合し、かつ、該横葺き屋根材を屋根下地に固定する吊子とからなる横葺き屋根構造物において、上記横葺き屋根材は、屋根面となる主板の軒側の端部に形成され、屋根の棟方向と平行な軸に対して直交する断面形状が略コの字形状をしており、主板の一部として形成されている第１の板部と、第１の板部の軒側端部において下方に折り曲げられて形成されている第２の板部と、第２の板部の下端において棟側に折り曲げられて形成されている第３の板部とを有している第１の係合部と、上記主板の棟側の端部に形成され、主板の一部として形成されている第４の板部と、第４の板部の棟側端部において上記第４の板部とのなす角が鋭角となるように上方に折り曲げられて形成されている第５の板部とを有する第２の係合部とを備えていると共に、上記第２の係合部における第５の板部は、屈曲または湾曲した形状となっており、板ばねの作用を有しており、上記吊子は、該吊子を屋根下地に固定するための平板状の固定部と、吊子の軒側に形成され、固定部の軒側端部から上方に折り曲げられて形成されている第６の板部と、第６の板部の上端から軒側に折り曲げられて形成されている第７の板部と、第７の板部の軒側端部から下方に折り曲げられて形成されている第８の板部と、第８の板部の下端から棟がわに折り曲げられて形成されている第９の板部とを有する第３の係合部とを備えており、上記横葺き屋根材と吊子との接合部では、吊子の第３の係合部における第６ないし第９の板部にて形成される空間内に、軒側の横葺き屋根材の第２の係合部における第５の板部が嵌入され、該第２の係合部における第５の板部の両端部が該第５の板部の板ばねの作用によって第３の係合部の内部に付勢された状態で固定され、第２の係合部における第４の板部と第３の係合部における第９の板部との間に、棟側の横葺き屋根の第１の係合部における第３の板部が挿入されて固定されている構成である。
【００６６】
それゆえ、第２の係合部と第３の係合部との接合にあたっては、第２の係合部における第５の板部が第３の係合部における第６ないし第９の板部にて形成される空間内に嵌入され、該第５の板部の両端が上記空間の所定箇所に当接することで位置決めした状態で固定される。このとき、第５の板部が板ばねとして作用することで、該第５の板部の両端を第３の係合部の内部空間壁面に付勢することとなり、当接箇所における摩擦が増大して、第２の係合部と第３の係合部との滑りによるずれを抑制することができるといった効果を奏する。
【００６７】
また、第１の係合部は、第２の係合部における第４の板部と第３の係合部における第９の板部との間に、第３の板部を軒側から挿入することで固定される。この時、上記第２の係合部と第３の係合部との位置関係は、上述した第５の板部の板ばねの作用によって強固に固定されるため、第４の板部と第９の板部との隙間が適切な間隔に維持されることとなり、第１の係合部も第２の係合部および第３の係合部に対して滑りを生じさせることなく固定することができるといった効果を併せて奏する。また、第１の係合部における第３の板部と第２の係合部における第４の板部との接触部は、屋根の棟方向に沿って全箇所で得られるので、屋根面の軒側からの浸水が防止でき、好適な止水性が得られる。
【００６８】
また、本発明に係る横葺き屋根構造物は、上記横葺き屋根材と吊子との接合部において、上記第１の係合部と第３の係合部との間に、該第３の係合部における第６および第７の板部と吊子の固定部との外面に沿った形状の補強板を挿入する構成である。
【００６９】
それゆえ、第１の係合部と第３の係合部との間に、該第３の係合部における第６および第７の板部と吊子の固定部との外面に沿った形状の補強板が挿入されることで接合部の剛性が高められ、該接合部の形状変化が抑制される。したがって接合部の形状変化に伴う第１ないし第３の係合部間でのずれを防止できるといった効果を奏する。特に、この構成はソーラーパネル等のモジュールの取付金具や雪止め金具を上記接合部に取り付ける際の該接合部の形状変化を抑制し、金具の保持力を向上させることができる。
【図面の簡単な説明】
【図１】  本発明の一実施形態を示すものであり、横葺き屋根の接合部の構造を示す断面図である。
【図２】  上記横葺き屋根を構成する横葺き屋根材の形状を示すものであり、（ａ）は該横葺き屋根材の全体の外観を示す斜視図、（ｂ）は該横葺き屋根材における第１の係合部の構成を示す断面図、（ｃ）は該横葺き屋根材における第２の係合部の構成を示す断面図である。
【図３】  上記横葺き屋根材と共に横葺き屋根を構成する吊子の形状を示す断面図である。
【図４】  上記横葺き屋根材および吊子によって構成される横葺き屋根の構造を示す断面図である。
【図５】  本発明の横葺き屋根の接合部における、図１とは別の構造例を示す断面図であり、横葺き屋根の接合部において取付金具を設けた場合の構造例を示す。
【図６】  従来の横葺き屋根材の形状を示すものであり、（ａ）は該横葺き屋根材の全体の外観を示す斜視図、（ｂ）は該横葺き屋根材における第１の係合部の構成を示す断面図、（ｃ）は該横葺き屋根材における第２の係合部の構成を示す断面図である。
【図７】  従来の横葺き屋根に用いられる吊子の形状を示す断面図である。
【図８】  従来の横葺き屋根の接合部の構造を示す断面図である。
【符号の説明】
１  横葺き屋根材
２  主板
３  第１の係合部
４  第２の係合部
５〜７  板部（第１〜第３の板部）
１０、１１  板部（第４、第５の板部）
２１  吊子
２２  固定部
２３  第３の係合部
２５〜２８  板部（第６〜第９の板部）
３１  屋根下地
４１  補強板
【図１】
0004002770.tif 000002
【図２】
0004002770.tif 000003
【図３】
0004002770.tif 000004
【図４】
0004002770.tif 000005
【図５】
0004002770.tif 000006
【図６】
0004002770.tif 000007
【図７】
0004002770.tif 000008
【図８】
0004002770.tif 000009